(57)【要約】【課題】高所にあるグリスフィルターの着脱が容易に行えるグリスフィルターの着脱具の実現。【解決手段】互い違いに配置した複数の第１フィルター部材と第２フィルター部材を有し、ガイド機構に自重で保持されたグリスフィルター１０を着脱するグリスフィルターの着脱具であって、柄４１と、柄の先端に設けられベース部材４３と、ベース部材に回転自在に設けられ、閉じる方向に付勢された第１と第２のアーム４５，４６と、第１と第２のアームの先端にそれぞれ回転自在に設けられた第１と第２の接触部材５１，５３とを備え、第１と第２の接触部材は、アームを広げた時に第１フィルター部材の両側に接触する少なくとも１対の突起５３，５５；５４，５６；５８，６０；５９，６１をそれぞれ有し、アームを広げてグリスフィルターを保持し、アームを閉じて着脱具をグリスフィルターから取り外す。【選択図】      図３
2004216341.tif 000002
【特許請求の範囲】
【請求項１】
間隔をあけて対向するように互い違いに配置した複数の第１フィルター部材と第２フィルター部材を有し、ガイド機構に自重で保持されたグリスフィルターを着脱するグリスフィルターの着脱具であって、
棒状の柄と、
前記柄の先端に設けられベース部材と、
前記ベース部材に回転自在に設けられ、閉じる方向に付勢された第１と第２のアームと、
前記第１と第２のアームの先端にそれぞれ回転自在に設けられた第１と第２の接触部材とを備え、
前記第１と第２の接触部材は、前記第１と第２のアームを広げて前記第１と第２の接触部材を前記第１フィルター部材に接触させた時に、前記第１フィルター部材の両側に接触する少なくとも１対の突起をそれぞれ有し、
前記グリスフィルターを前記ガイド機構から取り外す時には、前記第１と第２のアームを広げない状態で前記第１と第２の接触部材を前記第１フィルター部材の列の間に入れ、前記柄を押して前記第１と第２の接触部材の先端を前記グリスフィルターの端面に押し当てて前記第１と第２のアームを広げることにより前記１対の突起を前記第１フィルター部材の両側に接触させて前記グリスフィルターを保持して前記ガイド機構から取り外し、
前記グリスフィルターを前記ガイド機構へ取り付ける時には、前記グリスフィルターを保持可能な状態で前記ガイド機構に取り付けた後、前記柄を引いて前記第１と第２の接触部材の先端を前記グリスフィルターの端面から離すことにより前記第１と第２のアームを閉じて前記１対の突起を前記第１フィルター部材の両側から離し、前記着脱具を前記グリスフィルターから取り外すように使用することを特徴とするグリスフィルターの着脱具。
【請求項２】
間隔をあけて対向するように互い違いに配置した複数の第１フィルター部材と第２フィルター部材を有し、ガイド機構に自重で保持されたグリスフィルターを着脱するグリスフィルターの着脱具であって、
棒状の柄と、
前記柄の先端に設けられベース部材と、
前記ベース部材の上側部分に設けられ、前記第１フィルター部材の列の間に入り、前記グリスフィルターの上部の下向きの端面に接触する先端接触部と、
前記ベース部材の下側部分に設けられ、前記第１フィルター部材の下部の上面に接触する下側接触部とを備えることを特徴とするグリスフィルターの着脱具。
【請求項３】
前記柄と前記ベース部材の取り付け角度を変更する取り付け角度変更機構を備える請求項１又は２に記載のグリスフィルターの着脱具。
【発明の詳細な説明】
【０００１】
【発明の属する技術分野】
本発明は、厨房の天井又は側面に配置され、調理時に発生する油煙から油脂を除去するグリスフィルターの着脱具に関する。
【０００２】
【従来の技術】
厨房における調理時に発生する油煙を換気装置で排気する場合、そのまま排気すると外部に油煙が排出されて環境に悪影響を与えると共に、油煙中の油脂が排気ダクトに付着してしまい、油火災時に排気ダクト内を延焼する危険がある。このため、排気する前に油煙中の油脂を回収して排気中の油脂の量を低減するグリスフィルターが換気装置に設置されている。
【０００３】
図１は、グリスフィルターの取り付けを示す図である。図１の（Ａ）に示すように、グリスフィルターユニット１の斜め下側に向いた面にグリスフィルター１０を取り付け、油煙はこのグリスフィルター１０を通してグリスフィルターユニット１に吸気され、図１の（Ｂ）に示すようにダクト７を介して外部に排気される。油煙中の油脂はグリスフィルター１０に付着し、下部に流れ落ちるのでそれをチューブ２を通してオイルカップ３に回収する。
【０００４】
グリスフィルター１０の表面に付着した油脂は上記のように下部に流れ落ちるが、一部はそのままグリスフィルター１０の表面で固化してしまう。固化した油脂の層が厚くなると空気がグリスフィルター１０を通過する際の抵抗が増加し、排気能力が低下して十分な換気が行えなくなるという問題を生じる。そこで、グリスフィルター１０は、ある程度使用すると取り外して清掃する必要がある。そこで、グリスフィルターユニット１に図１の（Ｂ）に示すようなガイド機構を設け、グリスフィルター１０を取り付ける場合には、グリスフィルター１０を一旦上側のガイド経路５に差し込んだ後、グリスフィルター１０の下部を下側のガイド経路４に差し入れる。グリスフィルター１０は、自重でガイド経路４，５の前面の板に接触して保持される。グリスフィルター１０を取り外す際には、逆の動作を行う。ここでは図示していないが、グリスフィルター１０には手で持つための部材が設けられている。
【０００５】
グリスフィルター１０は、通常は図示したように斜め下側を向くように設置されるが、垂直に設けられる場合もある。
【０００６】
図２は、グリスフィルター１０の構造を示す図である。図２の（Ａ）に示すように、グリスフィルター１０は第１フィルター２１と第２フィルター３１とで構成される。図２の（Ａ）及び（Ｂ）に示すように、第１フィルター２１は、一方向に伸びた上平面部２２と斜面部２３と下平面部２４と、裏面部２５で構成される第１フィルター部材を複数個有し、第２フィルター３１は、一方向に伸びた受け部を有する第２フィルター部材３２を複数個有する。第１フィルター部材と第２フィルター部材は、第１フィルター部材の間に第２フィルター部材が間隔をあけて対向するように互い違いに配置される。
【０００７】
図２の（Ｂ）に示すように、第１フィルター２１に向かって流れる気流は、第１フィルター部材の間を通り、第２フィルター部材３２に当たって両側の第１フィルター部材との隙間を通りグリスフィルターユニッタ内に入る。この際、油煙は第１及び第２フィルター部材の表面に接触して油脂が付着する。
【０００８】
油脂が第１及び第２フィルター部材の表面、特に２つの部材の間隔が狭くなっている部分で固化すると経路の幅が狭くなり抵抗が増加する。そのため、定期的な清掃が不可欠である。
【０００９】
【特許文献１】
特開２００１−２５９３２５号公報（全体）
【００１０】
【発明が解決しようとする課題】
グリスフィルターは天井や壁の高い部分に設けられるので、従来それを清掃する場合には、はしごや脚立などでグリスフィルターの近くに上り、手で取り外したグリスフィルターを持って下に降り、グリスフィルターの清掃後再びグリスフィルターを持ってはしごや脚立などを登って、手で取り付けていた。清掃は、第１フィルター２１と第２フィルター３１を分離した状態で洗浄液に浸けてブラシなどで洗う。
【００１１】
このように、グリスフィルターの清掃を行う場合、実際の清掃だけでなく、グリスフィルターの着脱が非常に煩雑であった。そのため、ともすれば定期的な清掃が行われず、グリスフィルターが目詰まりした状態で使用され、当初の設計通りの十分な換気が行えなないという問題があった。
【００１２】
本発明は、高所にあるグリスフィルターの着脱が容易に行えるグリスフィルターの着脱具の実現を目的とする。
【００１３】
【課題を解決するための手段】
上記目的を実現するため、本発明の第１の態様のグリスフィルターの着脱具は、棒状の柄の先に回転自在で閉じる方向に付勢された２つのアームを設け、各アームに、アームに対して回転自在でアームを広げた時にグリスフィルターの第１フィルター部材の両側を挟み込む少なくとも１対の突起を有する接触部材を設け、柄を押し込むことにより接触部材の突起で第１フィルター部材を挟み込み、柄を引くことで接触部材を第１フィルター部材から外すようにする。
【００１４】
本発明の第１の態様のグリスフィルターの着脱具によれば、柄を持って接触部材が第１フィルター部材の間に位置する状態で柄を押し込めば、グリスフィルターの端面に対して接触部材の先端が押されるのでアームが広がり接触部材の突起が第１フィルター部材を挟み込む。これにより、グリスフィルターが着脱具に保持され、取り外せる。グリスフィルターを着脱具に保持した状態であればガイド機構に取り付けることができる。取り付けた後柄を引けば、アームは閉じるように付勢されているので、接触部材は第１フィルター部材から外れ、着脱具をグリスフィルターから取り外せる。このように、高所のグリスフィルターの着脱を柄を操作して簡単に行える。
【００１５】
第１の態様のグリスフィルターの着脱具は、グリスフィルターを挟んで保持するので保持はより確実であるが、単にグリスフィルターを所望の傾きに保持できれば着脱は行える。本発明の第２の態様のグリスフィルターの着脱具は、グリスフィルターを所望の傾きに保持して着脱を行うものである。
【００１６】
本発明の第２の態様のグリスフィルターの着脱具は、柄の先に第１フィルター部材の列の間に入り、グリスフィルターの上部の下向きの端面に接触する先端接触部と、第１フィルター部材の下部の上面に接触する下側接触部とを備える。
【００１７】
本発明の第２の態様のグリスフィルターの着脱具によれば、先端接触部がグリスフィルターを吊り下げ、下側接触部がグリスフィルターを所望の傾きに保持する。ガイド機構からグリスフィルターを取り外すだけであれば先端接触部でグリスフィルターを吊り下げれば行えるが、これではグリスフィルターは先端接触部から垂直に吊り下げられるのでガイド機構に取り付けることができない。これに対して、本発明では、下側接触部がグリスフィルターを所望の傾きに保持するのでグリスフィルターをガイド機構に取り付けることができる。
【００１８】
グリスフィルターの傾き角度は各種あるので、柄とベース部材の取り付け角度を変更する取り付け角度変更機構を設ければ、１つの着脱具で各種の傾きのグリスフィルターに対応できる。
【００１９】
【発明の実施の形態】
図３は、本発明の第１実施例のグリスフィルターの着脱具を示す斜視図である。図３に示すように、棒状のパイプで作られた柄４１は、先端が平面状になっており、ベース部材４３に溶接された柄取り付け部材４２とネジ７６，７７で固定されている。柄４１の長さはグリスフィルターの設置高さに応じて適宜決定される。また、柄４１とベース部材４３の取り付け角度は、後述するように変更可能であり、グリスフィルターの傾きに応じて適宜設定する。
【００２０】
ベース部材４３には回転軸４４が設けられており、第１アーム４５と第２アーム４６は回転軸４４に対して回転自在であり、ベース部材４３と第１アーム４５の間に設けられたばね４７とベース部材４３と第２アーム４６の間に設けられたばね４８とにより閉じる方向に付勢されている。なお、閉じる方向は図示していないストッパにより制限されており、何も力を加えない状態ではこの制限角度になる。
【００２１】
第１アーム４５と第２アーム４６には回転軸４９と５０が設けられており、第１接触部材５１は回転軸４９に対して回転自在であり、第２接触部材５２は回転軸５０に対して回転自在である。ただし、この場合回転に対して抵抗があり、ある程度の力を加えないと回転しない。
【００２２】
第１接触部材５１と第２接触部材５２は、ほぼ左右対称な形状をしている。図示のように、第１接触部材５１１は細長い板であり、上側に先端５７があり、その下に長い突起５３と短い突起５５の１対の突起が設けられている。また、下側に同様の１対の突起５４，５６が設けられている。同様に、第１接触部材５２にも、突起５９，５８が設けられている。ただし、短い突起は図示していない。１対の突起の間隔は、図２の（Ｂ）のグリスフィルターの上平面２２と裏面２５の高さの差に対応している。
【００２３】
図４は、第１実施例のグリスフィルターの着脱具の使用方法を説明する図であり、（Ａ）はグリスフィルターの上面から見た図であり、（Ｂ）は断面図である。また、図５は、突起が第１フィルター部材を挟み込んだ状態を示す。
【００２４】
図４に示すように、第１と第２アーム４５，４６が閉じた状態で、第１及び第２接触部材５１，５２の短い突起５５，５６及び６０，６１が第１フィルター部材の間、すなわち第２フィルター部材３２の部分に位置するように前述のストッパが調整されている。ここでは、第１及び第２接触部材５１，５２が、３個離れた第２フィルター部材３２の中央にほぼ対向するように設定されている。
【００２５】
この状態で、柄４１を操作して第１及び第２接触部材５１，５２をグリスフィルターに接触させる。そして、柄４１を押し上げると、第１及び第２接触部材５１，５２の先端部５７，６２がグリスフィルターの上側の下向きの端面に接触する。なおも柄４１を押し上げると、押し上げる力で第１と第２アーム４５，４６が開き、図５に示すように、長い突起５３，５４，５８，５９が第１フィルター部材の上平面部２２に、短い突起５５，５６，６０，６１が第１フィルター部材の裏面部２５を挟み込む。グリスフィルターはステンレス製であり、突起が接触しながら挟み込んでも特に問題はない。このようにしてグリスフィルター１０は着脱具に保持される。そして、図１の（Ｂ）に示すように、グリスフィルター１０をガイド機構の上方に持ち上げた後グリスフィルター１０の下側をガイド機構から外してグリスフィルターユニット１から取り外す。図６はグリスフィルター１０を着脱具に保持した状態を示す。
【００２６】
グリスフィルター１０をグリスフィルターユニット１に取り付ける場合には、図６のような状態に保持してグリスフィルター１０の上部をガイド機構の上部に差し入れ、グリスフィルター１０の下部をガイド機構の下部に入れ、柄を引き下げる。これにより第１及び第２アーム４５，４６は閉じるように付勢されているので、第１及び第２接触部材は第１フィルター部材から外れ、着脱具を取り付けたグリスフィルター１０から取り外せる。
【００２７】
取り付けたグリスフィルターの傾き角度は各種ある。そこで、図７に示すように、柄取り付け部材４２に第１のネジ穴７１と、このネジ穴７１を中心に配置された複数の第２のネジ穴７２〜７５を設け、第１のネジ穴７１には柄４１の先端の穴を合わせてネジ７６で固定し、柄４１の残りの穴は第２のネジ穴７２〜７５のいずれかと合わせてネジ７７柄で固定する。第２のネジ穴７２〜７５のいずれを選択するかにより、柄７１と柄取り付け部材４２との間の取り付け角度、すなわち柄４１とベース部材４３の取り付け角度を変更することができる。
【００２８】
図８は、本発明の第２実施例のグリスフィルターの着脱具を示す斜視図である。第２実施例の着脱具は、グリスフィルターの上部の下向きの端面が開放されており、その部分に突起が差し込めるグリスフィルター１１（図９及び図１０）が対象である。
【００２９】
第１実施例と同様に、柄４１は柄取り付け部材４２を介してベース部材８１に固定され、取り付け角度が変更できるようになっている。ベース部材８１の上部には、第１フィルター部材２１の隣接する隙間部分の間隔又はその整数倍の間隔に等しい間隔で、２個の突起（先端接触部分）８２と８４が垂直方向に突き出ている。突起８２と８４の先端にはベース部材８１と平行な補助突起８３と８５が設けられている。
【００３０】
ベース部材８１には、板９１がネジ９０により固定されている。板９１は、柄取り付け部材４２と柄４１を避けるように、両側に伸びた後下側に伸び更に両側に伸びる部分８６，８８を有する。部分８６，８８からは、板と垂直な方向に折り曲げられ、更に下側に折り曲げられた下側接触部分８７，８９が設けられている。
【００３１】
図９は、第２実施例のグリスフィルターの着脱具の使用方法を説明する図である。図９に示すように、柄４１を操作して２個の突起８２と８３及び８４と８５が第１フィルター部材の間、すなわち第２フィルター部材３２の部分に位置するようにして柄４１を押し上げると、突起８３と８５がグリスフィルターの部材９１の内部に入り、突起（先端接触部分）８２と８４がグリスフィルターの端面に接触する。そして、図１の（Ｂ）に示すように、グリスフィルター１０をガイド機構の上方に持ち上げた後グリスフィルター１０の下側をガイド機構から外してグリスフィルターユニット１から取り外す。図１０はグリスフィルター１１を着脱具に保持した状態を示す。突起８３と８５がグリスフィルターの部材９１の内部に入り、突起（先端接触部分）８２と８４が部材９１の端面に接触し、下部接触部分８７，８９がグリスフィルター１１の上平面部分２２に接触し、斜めの状態で保持される。このように、第２実施例の着脱具によれば、先端接触部がグリスフィルターを吊り下げ、下側接触部がグリスフィルターを所望の傾きに保持する。
【００３２】
ガイド機構からグリスフィルターを取り外すだけであれば先端接触部でグリスフィルターを吊り下げれば行えるが、これではグリスフィルターは先端接触部から垂直に吊り下げられるのでガイド機構に取り付けることができない。これに対して、本発明では、下側接触部がグリスフィルターを所望の傾きに保持するのでグリスフィルターをガイド機構に取り付けることができる。
【００３３】
【発明の効果】
以上説明したように、本発明によれば高所に設置されたグリスフィルターの着脱が容易に行えるようになる。これにより着脱を含めた実質的なグリスフィルターの清掃に要する時間を短縮できる。
【図面の簡単な説明】
【図１】グリスフィルターの着脱動作を説明する図である。
【図２】グリスフィルターの構造を説明する図である。
【図３】本発明の第１実施例のグリスフィルターの着脱具を示す斜視図である。
【図４】第１実施例のグリスフィルターの着脱具の使用方法を説明する図である。
【図５】第１実施例のグリスフィルターの着脱具で、グリスフィルターを挟み込んだ状態を説明する図である。
【図６】第１実施例のグリスフィルターの着脱具で、グリスフィルターを保持した状態を示す図である。
【図７】柄と柄取り付け部材（ベース部材）の取り付け角度を変更する機構を示す図である。
【図８】本発明の第２実施例のグリスフィルターの着脱具を示す斜視図である。
【図９】第２実施例のグリスフィルターの着脱具の使用方法を説明する図である。
【図１０】第２実施例のグリスフィルターの着脱具で、グリスフィルターを保持した状態を示す図である。
【符号の説明】
１…グリスフィルターユニット
４，５…ガイド機構
１０…グリスフィルター
２２…第１フィルターの上平面
２５…第１フィルターの裏面
４１…柄
４３…ベース部材
４５，４６…アーム
５１，５２…接触部材
【図１】
2004216341.tif 000003
【図２】
2004216341.tif 000004
【図３】
2004216341.tif 000005
【図４】
2004216341.tif 000006
【図５】
2004216341.tif 000007
【図６】
2004216341.tif 000008
【図７】
2004216341.tif 000009
【図８】
2004216341.tif 000010
【図９】
2004216341.tif 000011
【図１０】
2004216341.tif 000012